(57)【要約】【課題】同一原稿における色調整設定の異なる画像読取指令に対し，画像データを素早く提供すること。【解決手段】本発明の画像読取装置は，所望の原稿の読み取りを行って第１画像データを生成する画像読取部と，第１画像データを格納する画像格納部と，所望の色調整設定の画像読取指令に従った第２画像データを生成するために，画像格納部から第１画像データを取得する画像選択部と，画像選択部が取得した画像データに基づいて第２画像データを生成する画像生成部とを備える。【選択図】図１
2006270224.tif 000002
【特許請求の範囲】
【請求項１】
所望の原稿の読み取りを行って第１画像データを生成する画像読取部と，
第１画像データを格納する画像格納部と，
所望の色調整設定の画像読取指令に従った第２画像データを生成するために，画像格納部から第１画像データを取得する画像選択部と，
画像選択部が取得した画像データに基づいて第２画像データを生成する画像生成部とを備えることを特徴とする画像読取装置。
【請求項２】
第１画像データは，第２画像データを生成するのに必要な全ての情報を含む請求項１に記載の装置。
【請求項３】
画像選択部は、前記画像読取指令に従った第２画像データを生成するのに不足している画像データを画像読取部から取得する請求項１に記載の装置。
【請求項４】
画像選択部から提供された画像データが前記画像読取指令に従った画像であるか判定し，
そうでない場合に，画像生成部に第２画像データを生成するように命令する制御部をさらに備える請求項１に記載の装置。
【請求項５】
制御部は，第２画像データを画像格納部に格納する請求項１に記載の装置。
【請求項６】
制御部は，読取終了通知に基づいて，画像格納部に格納された画像データを消去する請求項１に記載の装置。
【請求項７】
請求項１の画像読取装置と，この装置に電気通信可能に接続された計算機端末とを備え，前記画像読取指令は，計算機端末から与えられることを特徴とする画像読取システム。
【請求項８】
前記画像読取装置に電気通信可能に接続された仮想画像読取装置をさらに備え，
計算機端末は，前記画像読取装置からの指示に従い，前記画像読取指令を仮想画像読取装置に対して行い，
仮想画像読取装置は，前記画像読取装置から送信された第１画像データを格納する画像格納部と，
前記画像読取指令に従った第２画像データを生成するために，画像格納部から第１画像データを取得する画像選択部と，
画像選択部が取得した画像データに基づいて第２画像データを生成する画像生成部とを備える請求項７に記載のシステム。
【請求項９】
前記画像読取装置に電気通信可能に接続された画像データサーバと仮想画像読取装置をさらに備え，
画像データサーバは，前記画像読取装置から送信された第１画像データを格納する画像格納部を備え，
仮想画像読取装置は，前記画像読取指令に従った第２画像データを生成するために，画像データサーバの画像格納部から第１画像データを取得する画像選択部と，
画像選択部が取得した画像データに基づいて第２画像データを生成する画像生成部とを備える請求項７に記載のシステム。
【請求項１０】
第１画像データは，第２画像データを生成するのに必要な全ての情報を含む請求項８又は９に記載のシステム。
【請求項１１】
所望の原稿の読み取りを行って第１画像データを生成し，
第１画像データを画像格納部に格納し，
所望の色調整設定の画像読取指令に従った第２画像データを生成するために，画像格納部から第１画像データを取得し，
取得した画像データに基づいて第２画像データを生成する工程からなることを特徴とする画像読取方法。
【請求項１２】
請求項８又は９に記載のシステムを用いた画像読取方法であって，
画像読取装置が，所望の原稿の読み取りを行って第１画像データを生成し，第１画像データを仮想画像読取装置又は画像データサーバの画像格納部に格納し，
計算機端末が，前記画像読取装置からの指示に従い，前記画像読取指令を仮想画像読取装置に対して行い，
仮想画像読取装置が，前記画像読取指令に従った第２画像データを生成するために，仮想画像読取装置又は画像データサーバの画像格納部から第１画像データを取得し，
取得した画像データに基づいて第２画像データを生成する工程からなることを特徴とする画像読取方法。
【請求項１３】
所望の原稿の読み取りを行って第１画像データを生成し，
第１画像データを画像格納部に格納し，
所望の色調整設定の画像読取指令に従った第２画像データを生成するために，画像格納部から第１画像データを取得し，
取得した画像データに基づいて第２画像データを生成する工程をコンピュータに実行させることを特徴とする画像読取プログラム。
【請求項１４】
請求項８又は９に記載のシステムを用いた画像読取プログラムであって，
画像読取装置が，所望の原稿の読み取りを行って第１画像データを生成し，第１画像データを仮想画像読取装置又は画像データサーバの画像格納部に格納し，
計算機端末が，前記画像読取装置からの指示に従い，前記画像読取指令を仮想画像読取装置に対して行い，
仮想画像読取装置が，前記画像読取指令に従った第２画像データを生成するために，仮想画像読取装置又は画像データサーバの画像格納部から第１画像データを取得し，
取得した画像データに基づいて第２画像データを生成する工程をコンピュータに実行させることを特徴とする画像読取プログラム。
【発明の詳細な説明】
【技術分野】
【０００１】
本発明は，画像読取装置，画像読取システム，画像読取方法及びプログラムに関する。
【背景技術】
【０００２】
現在，１つ以上の計算機端末や画像読取装置をネットワーク上に接続して，遠隔にある計算機端末から画像読取装置の操作を指示できるようになされた画像読取システムが提案されている。このような画像読取システムにおいて，複数の計算機端末が１台の画像読取装置を共有することが可能となった。このため，画像読取装置の処理量が増加し，それに伴い画像読取処理の効率を向上させるための手法が提案されている。例えば，特許文献１には，一度の画像読取指令に対し，解像度・階調を変えた複数の画像データを生成することによって，画像印刷時の画質を落とすことなく，画像プレビュー処理の効率を上げる手法が示されている。
【特許文献１】特開平１１−２８９４１６号公報
【発明の開示】
【発明が解決しようとする課題】
【０００３】
しかしながら，特許文献１に示される技術では，解像度・階調について考慮されているが，画像読取指令に付属する色調整については考慮されていないという問題点があった。
【０００４】
本発明は，上記事情に鑑みてなされたものであり，同一原稿における色調整設定の異なる画像読取指令に対し，画像データを素早く提供するものである。
【課題を解決するための手段及び発明の効果】
【０００５】
１．画像読取装置
本発明の画像読取装置は，所望の原稿の読み取りを行って第１画像データを生成する画像読取部と，第１画像データを格納する画像格納部と，所望の色調整設定の画像読取指令に従った第２画像データを生成するために，画像格納部から第１画像データを取得する画像選択部と，画像選択部が取得した画像データに基づいて第２画像データを生成する画像生成部とを備えることを特徴とする。
【０００６】
本発明では，原稿から読み取った第１画像データを画像格納部に格納しておき，同一原稿における色調整設定の異なる画像読取指令があった場合には，再度原稿からの読み取りを行うのではなく，画像格納部に格納された第１画像データに基づいて，前記画像読取指令に従った第２画像データを生成することによって，画像読取指令の実行時間を大幅に短縮する。このため，例えば，画像読取装置が複数ユーザーによって共用されている場合などに，一人のユーザーによる占有時間を短縮することができ，画像読取装置の効率的な運用が可能になる。
【０００７】
なお，「画像データ」とは，解像度に関する情報，原稿内の赤色に関する情報（Ｒデータ），緑色に関する情報（Ｇデータ），青色に関する情報（Ｂデータ）などで構成される。また，ＲＧＢデータから生成される白色に関する情報（Ｗデータ）が含まれていてもよい。「色調整設定」とは，色数，明度，コントラストなどについての設定をいう。第２画像データの生成は，例えば，画像選択部が取得した画像データの（１）色数を削減する，（２）グレースケール又は白黒画像にする，（３）明度を変化させる，（４）コントラストを変化させることによって行う。
【０００８】
第１画像データは，第２画像データを生成するのに必要な全ての情報を含むことが好ましい。例えば，画像読取装置に原稿がセットされたときに，最大の解像度及びフルカラーで原稿の読み込みを行っておく。この場合，第１画像データのみを用いて，第２画像データを生成できるので，再度の原稿読み込みが不要となり，画像読取指令の実行時間を短縮することができる。
【０００９】
また，前記画像読取指令に従った第２画像データを生成するのに不足している画像データを画像読取部から取得する画像選択部をさらに備えてもよい。例えば，第１画像データにＲデータ及びＧデータのみが含まれている場合，第１画像データのみを用いてフルカラーの第２画像データを生成することはできない。そこで，Ｂデータを画像読取部から取得ことによって，Ｒ・Ｇ・Ｂデータの揃ったフルカラーの第２画像データの生成を可能とする。この場合，不足しているＢデータのみを画像読取部から取得するので，全てのデータを画像読取部から取得する場合に比べて高速である。
【００１０】
また，画像選択部から提供された画像データが前記画像読取指令に従った画像であるか判定し，そうでない場合に，画像生成部に第２画像データを生成するように命令する制御部をさらに備えてもよい。画像選択部から提供された画像データが画像読取指令に従った画像であれば，その画像データをそのまま第２画像データとして用いることができる。
【００１１】
また，制御部は，第２画像データを画像格納部に格納してもよい。第２画像データは，通常，画像読取指令を行った計算機端末に送られるが，それと共に，第２画像データを画像格納部に格納しておく。こうしておくと，第２画像データと同じ条件で画像読取指令があった場合，既に格納してある画像データを読み出すことにより，新たな画像データを生成することなく，第２画像データの提供が可能になる。
【００１２】
また，制御部は，読取終了通知に基づいて，画像格納部に格納された画像データを消去してもよい。読み取りが終了した際に，格納された画像データを消去することで，もはや不要となった画像データが蓄積することなく，格納スペースの有効利用が可能になる。
【００１３】
２．画像読取システム
本発明の画像読取システムは，上記画像読取装置と，この装置に電気通信可能に接続された計算機端末とを備え，前記画像読取指令は，計算機端末から与えられることを特徴とする。計算機端末が，画像読取装置に対して，画像読取指令や読取終了通知を与え，画像読取装置は，その指令又は通知に基づいて動作する。例えば，画像読取装置は，所望の色調整設定の画像読取指令に従った画像データを生成し，その画像データを計算機端末に対して送信する。なお，「電気通信可能に接続」とは，例えば，ＬＡＮなどネットワークを介して接続されることである。
【００１４】
また，画像読取装置に電気通信可能に接続された仮想画像読取装置をさらに備え，計算機端末は，画像読取装置からの指示に従い，前記画像読取指令を仮想画像読取装置に対して行い，仮想画像読取装置は，画像読取装置から送信された第１画像データを格納する画像格納部と，前記画像読取指令に従った第２画像データを生成するために，画像格納部から第１画像データを取得する画像選択部と，画像選択部が取得した画像データに基づいて第２画像データを生成する画像生成部とを備えてもよい。
【００１５】
仮想画像読取装置は，一般的なコンピュータで構成され，画像読取部を有していないことを除いては，画像読取装置と同じ構成である。仮想画像読取装置は，画像読取装置から，第１画像データを受け取り，それに基づいて第２画像データを生成する機能を有する。これによって，仮想画像読取装置は，画像読取装置の機能の一部を担うことができ，画像読取装置の負担を軽減することができる。仮想画像読取装置が用いられる場合，計算機端末は，予め，画像読取装置から指示を受ける。
【００１６】
仮想画像読取装置を用いる場合，第１画像データは，第２画像データを生成するのに必要な全ての情報を含むことが好ましい。仮想画像読取装置は，画像読取部を有していないので，不足のデータがあった場合に，それを画像読取部から取得することができないからである。但し，不足のデータがあった場合に，画像読取装置に対して，そのデータの補充を依頼するように構成することは可能である。
【００１７】
また，画像読取装置に電気通信可能に接続された画像データサーバと仮想画像読取装置をさらに備え，画像データサーバは，前記画像読取装置から送信された第１画像データを格納する画像格納部を備え，仮想画像読取装置は，前記画像読取指令に従った第２画像データを生成するために，画像データサーバの画像格納部から第１画像データを取得する画像選択部と，画像選択部が取得した画像データに基づいて第２画像データを生成する画像生成部とを備えてもよい。
【００１８】
この構成では、仮想画像読取装置は，別途設けられた画像データサーバの画像格納部を用いる。この場合，仮想画像読取装置は，自ら，巨大な画像格納部を備える必要がなくなり，効率的なシステム構成が可能になる。なお，仮想画像読取装置は，自らも画像格納部を備え，画像データサーバの画像格納部と共に使用するようにしてもよい。また，画像データサーバの画像格納部は，画像読取装置と仮想画像読取装置が共用してもよい。
【００１９】
３．画像読取方法
本発明の画像読取方法は，所望の原稿の読み取りを行って第１画像データを生成し，
第１画像データを画像格納部に格納し，所望の色調整設定の画像読取指令に従った第２画像データを生成するために，画像格納部から第１画像データを取得し，取得した画像データに基づいて第２画像データを生成する工程を備えることを特徴とする。
【００２０】
また，本発明は，上記記載のシステムを用いた画像読取方法であって，画像読取装置が，所望の原稿の読み取りを行って第１画像データを生成し，第１画像データを仮想画像読取装置又は画像データサーバの画像格納部に格納し，計算機端末が，前記画像読取装置からの指示に従い，前記画像読取指令を仮想画像読取装置に対して行い，仮想画像読取装置が，前記画像読取指令に従った第２画像データを生成するために，仮想画像読取装置又は画像データサーバの画像格納部から第１画像データを取得し，取得した画像データに基づいて第２画像データを生成する工程を備える画像読取方法をも提供することを特徴とする。
これらについては，画像読取装置・システムの項で説明した通りである。
【００２１】
４．画像読取プログラム
本発明の画像読取プログラムは，所望の原稿の読み取りを行って第１画像データを生成し，第１画像データを画像格納部に格納し，所望の色調整設定の画像読取指令に従った第２画像データを生成するために，画像格納部から第１画像データを取得し，取得した画像データに基づいて第２画像データを生成する工程をコンピュータに実行させることを特徴とする。
【００２２】
また，本発明は，上記記載のシステムを用いた画像読取プログラムであって，画像読取装置が，所望の原稿の読み取りを行って第１画像データを生成し，第１画像データを仮想画像読取装置又は画像データサーバの画像格納部に格納し，計算機端末が，前記画像読取装置からの指示に従い，前記画像読取指令を仮想画像読取装置に対して行い，仮想画像読取装置が，前記画像読取指令に従った第２画像データを生成するために，仮想画像読取装置又は画像データサーバの画像格納部から第１画像データを取得し，取得した画像データに基づいて第２画像データを生成する工程をコンピュータに実行させる画像読取プログラムをも提供することを特徴とする。
これらについては，画像読取装置・システムの項で説明した通りである。
【発明を実施するための最良の形態】
【００２３】
以下添付図面を参照しながら，本発明の実施形態について説明し，本発明の理解に供する。尚，以下の実施形態は，本発明を具体化した一例であって，本発明の技術的範囲を限定するものではない。
【００２４】
（第１実施形態）
まず，図１を用いて本発明の第１実施形態に係る画像読取システムの全体構成について説明する。
【００２５】
本画像読取システムは，画像読取装置１１，仮想画像読取装置３１，複数の計算機端末５１，５１ａ，５１ｂがＬＡＮ７１により相互に通信可能に接続されて構成されている。
【００２６】
まず，画像読取装置１１（以下，「装置１１」とも呼ぶ。）について説明する。装置１１は，ネットワークＩ／Ｆ部１２，制御部１３，画像選択部１４，画像読取部１５，画像格納部１７，画像生成部２１及びＵＩ（ユーザーインターフェース）部２３を備える。
【００２７】
制御部１３は，ネットワークＩ／Ｆ部１２を介して計算機端末５１から受信した画像読取指令ＲＩ（以下，「読取指令ＲＩ」とも呼ぶ。）に対し，画像読取処理全体を制御する。画像読取部１５は，所望の原稿の画像読み取りを行い，第１画像データを生成する。第１画像データは，後述するように，計算機端末５１からの読取指令ＲＩに従った第２画像データを生成するのに用いられる。制御部１３は，第１画像データ及び生成した第２画像データを画像格納部１７に格納する。画像選択部１４は，読取指令ＲＩに従った第２画像データを生成するために，画像格納部１７から第１画像データを取得する。また、画像選択部１４は，第２画像データを生成するのに不足している画像データのみを画像読取部１５から取得し，制御部１３に提供する。制御部１３は，画像選択部１４から提供された画像データが読取指令ＲＩに従った画像であるか判定し，そうでない場合に，画像生成部２１に第２画像データを生成するように命令する。この命令に従って，画像生成部２１は，第２画像データを生成する。ＵＩ部２３は，画像読取部１５に原稿をセットをした際に，任意の色調整設定の読取指令ＲＩに従った第２画像データを生成するのに必要な全ての情報を含む画像データ（以下，「基本画像データ」という。）を第１画像データとして，読み取りを行うかどうかの設定を行う。また，ＵＩ部２３から，これから装置１１を利用する計算機端末の指定及びロックを行うことができる。
【００２８】
次に，仮想画像読取装置３１（以下，「仮想装置３１」とも呼ぶ。）について説明する。仮想装置３１は，一般的なコンピュータを用いて構成することができ，ネットワークＩ／Ｆ部３２，制御部３３，画像選択部３４，画像格納部３７及び画像生成部４１を備える。仮想装置３１は，画像読取部及びＵＩ部を有していない点を除いては，装置１１と同じ構成を有している。
【００２９】
制御部３３は，ネットワークＩ／Ｆ部３２を介して計算機端末５１から受信した読取指令ＲＩに対し，画像読取処理全体を制御する。制御部３３は，装置１１から送信された第１画像データを画像格納部３７に格納する。画像選択部３４は，読取指令ＲＩに従った第２画像データを生成するために，画像格納部３７から第１画像データを取得する。第１画像データには，通常，基本画像データを用いる。仮想装置３３ａは，画像読取部を有していないので，不足のデータがあった場合に，それを画像読取部から取得することができないからである。但し，不足のデータがあった場合に，画像読取装置１１に対して，そのデータの補充を依頼するように構成することは可能である。この場合，第１画像データは，基本画像データでなくてもよい。制御部３３は，画像選択部３４から提供された画像データが読取指令ＲＩに従った画像であるか判定し，そうでない場合に，画像生成部４１に第２画像データを生成するように命令する。画像生成部４１は，命令に従って，第２画像データを生成する。
【００３０】
次に，計算機端末５１（以下，「端末５１」とも呼ぶ。）について説明する。端末５１は，ネットワークＩ／Ｆ部５２，制御部５３，プレビュー生成部５４，ＵＩ部５５及び表示部５７を備える。なお，ここでは，端末５１を例にとって説明を進めるが，端末５１ａ，５１ｂも同じ構成を有している。
【００３１】
端末５１は，一般的なコンピュータを用いて構成することができる。ＵＩ部５５は，キーボード等の入力装置から読取指令ＲＩ用の設定を受け取り，制御部５３は，この設定に基づき，ネットワークＩ／Ｆ部５２を介して，装置１１又は仮想装置３１に対して読取指令ＲＩを送信する。プレビュー生成部５４は，装置１１又は仮想装置３１から読取指令ＲＩに従った第２画像データを取得し，第２画像データに基づいてプレビュー画面を生成し，表示部５７に表示する。各機能ブロックの機能は，端末５１にインストールされた画像読取ドライバによって実現されている。
【００３２】
次に，図２のフローチャートを用いて，装置１１の画像読取部１５に原稿がセットされた際の処理手順について説明する。
【００３３】
まず，Ｓ３０１では，画像読取部１５が、画像読取部１５にセットされた原稿の読み取りを行って第１画像データを生成する。利用者は，装置１１のＵＩ部２３から，第１画像データの読取条件（解像度・色数・明るさ・コントラストなど）の設定を行う。第１画像データとして，上述した基本画像データの読み取りを行うように設定することもできる。また，利用者は，原稿をセットした際に，第１画像データを生成するかどうかの設定をすることもできる。
【００３４】
次に，Ｓ３０２では，制御部１３が，現在の装置１１及び仮想装置３１が担当している計算機端末数や，空いているメモリ量などから原稿に対する読取指令ＲＩを仮想装置３１に委託するかどうかを判断する。
【００３５】
委託する場合には，Ｓ３０３に移り，制御部１３は，仮想装置３１に第１画像データを送信し，仮想装置３１の制御部３３は，第１画像データを画像格納部３７に格納する。
その後，Ｓ３０４では，読取指令ＲＩを送信する計算機端末に画像データ取得先の変更を通知する。通知する手段としては，予めＵＩ部２３から計算機端末が指定されている場合は，その指定に従い，指定された計算機端末に変更通知を行う。そうでない場合は，計算機端末が，読取指令ＲＩを行うことを通知した際に変更通知を行う。
【００３６】
仮想装置３１に委託しない場合は，Ｓ３０５に移り，制御部１３は，画像格納部１７に第１画像データを保存する。
【００３７】
次に，図３のフローチャートを用いて，端末５１が装置１１に対して行う読取指令ＲＩの処理の手順について説明する。
【００３８】
端末５１の制御部５３は，ＵＩ部５５を介して，利用者から，所望の色調整設定で，原稿を読み取る旨の指令を受ける。
【００３９】
端末５１の制御部５３は，この指令を受け付けると，まず，Ｓ４０１において，装置１１からデータ取得先の変更の通知（Ｓ３０４での装置１１からの通知）があるかどうかを確認する。変更の通知は，装置１１のＵＩ部２３から，原稿の画像読み取りを行う計算機端末を指定している場合は，装置１１の制御部１３から通知される。そうでない場合は，端末５１の制御部５３が，装置１１の制御部１３に対して，変更の有無を確認する。この確認に対する返答として，装置１１の制御部１３が，端末５１の制御部５３に対して，変更の有無を通知する。データ取得先の変更があった場合，以降の通信は，全て仮想装置３１に対して行われるが，端末５１での処理手順は，変わらないため，以降の通信は，装置１１に対して行うものとして説明する。
【００４０】
次に，Ｓ４０２では，端末５１の制御部５３は，ＵＩ部５５を介して利用者が設定した色調整設定を元に読取指令ＲＩを生成する。
次に，Ｓ４０３では，端末５１の制御部５３は，装置１１の制御部１３に対して読取指令ＲＩを送信する。
次に，Ｓ４０４では，端末５１のプレビュー生成部５４は，装置１１の制御部１３から，読取指令ＲＩに従った第２画像データを受信する。
次に，Ｓ４０５では，プレビュー生成部５４は，第２画像データのプレビュー画面を生成して表示部５７に表示する。
【００４１】
次に，Ｓ４０６では，端末５１の制御部５３は，ＵＩ部５５を介して，利用者から読取指令ＲＩ続行の是非の指示を受ける。続行する場合は，Ｓ４０７で，装置１１に読取指令ＲＩ続行の通知を行い，端末５１は，画像読取を続行しないとＵＩ部５５から設定されるまでＳ４０２−Ｓ４０５を繰り返す。画像読み取りを終了する場合は，Ｓ４０８で，読取指令ＲＩの終了を装置１１に通知する。
【００４２】
次に，図４に示すフローチャートを用いて，装置１１の制御部１３が行う読取指令ＲＩの処理手順について説明する。
まず，Ｓ５０１では，制御部１３は，Ｓ４０３で送信された読取指令ＲＩを取得する。
次に，Ｓ５０２では，画像選択部１４は，制御部１３から読取指令ＲＩに含まれる色調整設定を受け取り，この設定に基づいて，第１画像データ等を取得する。「第１画像データ等」とは，ここでは，第２画像データの生成に必要な画像データを意味し，具体的には，第１画像データと，必要に応じて画像読取部１５で新たに読み取られた画像データを意味する。この処理の詳細については，後で図５のフローチャートを用いて説明する。
【００４３】
次に，Ｓ５０３では，制御部１３は，画像選択部１４が取得した第１画像データ等を受け取り，読取指令ＲＩに含まれる色調整設定を元に，第１画像データ等を編集する必要があるかどうかを判定する。必要であれば，Ｓ５０４で，制御部１３は，第１画像データ等を画像生成部２１に渡し，画像生成部２１は，第１画像データ等を用いて，色調整設定に従った第２画像データを作成し，作成した第２画像データを制御部１３に渡す。第１画像データ等がそのまま色調整設定に従った第２画像データとして使用できる場合は，第１画像データ等の編集は不要である。
次に，Ｓ５０５では，制御部１３は，第２画像データを端末５１に送信する。なお，端末５１は，Ｓ４０４で，第２画像データを受信する。
【００４４】
次に，Ｓ５０６では，制御部１３は，端末５１から読取指令ＲＩを続行するかどうかの通知（Ｓ４０７又はＳ４０８）を受け取る。読取指令ＲＩを続行する場合は，Ｓ５０７で色調整設定に従った第２画像データを画像格納部１７に保存してから，Ｓ５０１〜Ｓ５０５を繰り返す。このとき，第２画像データと同じ色調整設定の画像データが既に画像格納部１７に保存されている場合は，第２画像データは，保存しない。読取指令ＲＩを終了する場合は，Ｓ５０８で，現在扱っている原稿に関する画像格納部１７に保存された全ての画像データを消去する。仮想装置３１の制御部３３も，図４と同様の処理手順を行う。
【００４５】
次に，図５のフローチャートを用いて，装置１１の画像選択部１４が，制御部１３から読取指令ＲＩに含まれる色調整設定を受け取り，この設定に基づいて，第１画像データ等を取得する工程について説明する。
【００４６】
まず，Ｓ６０１では，画像選択部１４は，画像格納部１７から第１画像データを取得する。
次に，Ｓ６０２では，画像選択部１４は，第１画像データが，色調整設定に従った第２画像データを生成するのに十分であるかどうかを判断する。不十分であれば，Ｓ６０３で，不足している画像データを画像読取部１５から取得する。例えば，色調整設定でフルカラー読み取りが指定されている場合，Ｒ，Ｇ，Ｂデータが必要となるが，第１画像データにＲ，Ｇデータしか含まれていなければ，Ｂデータを画像読取部１５から取得する。
次に，Ｓ６０４では，Ｓ６０１及びＳ６０３で取得した画像データ（第１画像データ等）を制御部１３に提供する。
【００４７】
仮想装置３１の画像選択部３４も，基本的に図５と同様の処理手順をする。但し，仮想装置３１は，画像読取部を有さないので，第１画像データには，基本画像データを用いる。このため，仮想装置３１の画像選択部３４の場合は，Ｓ６０３への分岐が起こらない。
【００４８】
次に，図６を用いて端末５１における読取指令ＲＩを送信する際の色調整設定について説明する。
【００４９】
図６は，端末５１の画像読取ドライバにより，端末５１のＵＩ部５５に表示される色調整等設定画面の一例である。この色調整等設定画面は，Ｓ４０２で利用者が色調整設定等を行う際に用いられる。
【００５０】
端末５１から色調整等設定画面を用いて，カラーモード（色数）・明るさ（明度）・コントラストなどの色調整設定や，解像度，ガンマ曲線の指定（ガンマ設定）など多種の条件設定を行う。
【００５１】
（第２実施形態）
図７は，本発明の第２実施形態に係る画像読取システムの全体構成図を示す。このシステムは，第１実施形態に類似しているが，画像格納部３７が仮想装置３１から分離されて，ネットワーク上にファイルサーバのように配置されている点が異なっている。
この場合，画像選択部３４は，ネットワークＩ／Ｆ３２を介して画像格納部３７から必要な第１画像データを取得する。この際の画像選択部３４の処理手順は，第１実施形態と変わらない。また，この画像格納部３７は，仮想装置３１と１対１である必要はなく，１台以上の仮想装置３１が画像格納部３７を共有することも考えられる。
【図面の簡単な説明】
【００５２】
【図１】本発明の第１実施形態に係る画像読取システムの全体構成図。
【図２】本発明の第１実施形態に係る画像読取システムを構成する画像読取装置の原稿セット時の処理手順を表すフローチャート。
【図３】本発明の第１実施形態に係る画像読取システムを構成する計算機端末の処理手順を表すフローチャート。
【図４】本発明の第１実施形態に係る画像読取システムを構成する画像読取装置の制御部の処理手順を表すフローチャート。
【図５】本発明の第１実施形態に係る画像読取システムを構成する画像読取装置の画像選択部の処理手順を表すフローチャート。
【図６】本発明の第１実施形態に係る画像読取システムを構成する計算機端末における色調整等設定画面を表す図。
【図７】本発明の第２実施形態に係る画像読取システムの全体構成図。
【図１】
2006270224.tif 000003
【図２】
2006270224.tif 000004
【図３】
2006270224.tif 000005
【図４】
2006270224.tif 000006
【図５】
2006270224.tif 000007
【図６】
2006270224.tif 000008
【図７】
2006270224.tif 000009